(57)【要約】      （修正有）【課題】装飾対象である物品への取り付けのために当該物品又はその一部を通すことを要しない装飾用タグを提供する。【解決手段】物品に取り付けられる、折り曲げ可能のシート片からなる装飾用タグ１０を開示する。シート片は、物品対する装飾機能を担う装飾部１２と、物品への装飾用タグの取り付け機能を担う取り付け部１４とを含む。取り付け部１４は全体に帯状を呈しかつ互いに相対する一端部分２０及び他端部分２２を有し、また、これらの一端部分及び他端部分を互いに連結するための連結構造２８，３０を有する。【選択図】図１
0003185797.tif 000002
【実用新案登録請求の範囲】
【請求項１】
物品に取り付けられる、折り曲げ可能のシート片からなる装飾用タグであって、
前記シート片は、前記物品を装飾する機能を担う装飾部と、前記物品に前記装飾用タグを取り付ける機能を担う取り付け部とを含み、
前記取り付け部は全体に帯状を呈し、また、その一端部分及び他端部分を相互に連結するための連結構造を有する、装飾用タグ。
【請求項２】
前記取り付け部は前記装飾部の周囲をこれに近接してかつ湾曲して伸びている、請求項１に記載の装飾用タグ。
【請求項３】
前記取り付け部の連結構造は、前記取り付け部の一端部分に設けられ前記取り付け部の両側縁の少なくとも一方から突出する少なくとも１つの突起と、前記他端部分に設けられた孔とを含み、前記突起はこれが折り曲げられた形態で前記孔を通過可能であり、また、通過後の前記突起は前記折り曲げられた形態の一部又は全部の復元により前記孔の周縁に係止可能である、請求項１又は２に記載の装飾用タグ。
【請求項４】
前記取り付け部の連結構造は、前記取り付け部の一端部分に設けられ前記取り付け部の両側縁から突出する一対又は複数対の突起と、前記他端部分に設けられた孔とを含み、前記対の突起はこれらの一方又は双方が折り曲げられた形態で前記孔を通過可能であり、また、通過後の前記対の突起は前記折り曲げられた形態の一部又は全部の復元により前記孔の周縁に係止可能である、請求項１又は２に記載の装飾用タグ。
【請求項５】
前記突起は山形又は半円形の輪郭を有する、請求項３に記載の装飾用タグ。
【請求項６】
前記シート片は、互いに重ね合わされかつ接着された２枚の合成繊維製の織物からなる、請求項１ないし５のいずれか１項に記載の装飾用タグ。
【請求項７】
前記織物はポリエステル繊維からなる、請求項６に記載の装飾用タグ。
【請求項８】
前記２枚の織物は異なる色彩を有する、請求項６又は７に記載の装飾用タグ。
【考案の詳細な説明】
【技術分野】
【０００１】
本考案は、商品、贈答品、携行品等の物品（装飾対象）の装飾に用いられる装飾用タグに関する。
【背景技術】
【０００２】
従来、シート片からなる装飾用タグが提案されている（後記特許文献１参照）。前記装飾用タグは、その装飾機能を担う装飾部分と前記装飾用タブの物品への取り付け機能を担う紐状部分とからなり、前記紐状部分はこれに設けられたスリットを有する。これによれば、前記紐状部分のスリットを開き、開かれた前記スリットに装飾対象である物品又はその一部を通すことにより、前記装飾用タグがその紐状部分を介して前記物品に取り付けられる。
【０００３】
ところで、物品の形状やその有する性質によっては前記紐状部分を介しての前記装飾用タブの前記物品への取り付けが好ましくないことがある。例えば、前記物品の一例である包装袋の一部を窄めて該包装袋の口を閉じ、窄められた部分に前記装飾用タグを取り付ける場合がある。この場合、前記装飾用タグの取り付けのために前記紐状部分の開かれたスリットがこれに通された前記包装袋の口から前記窄められた部分へと移動される。この移動のとき、前記包装袋の口から前記窄められた部分までの幅広の部分が一時的に窄められる。その結果、前記幅広の部分に皺が生じ、前記包装袋が本来有する装飾性が損なわれることがある。
【先行技術文献】
【特許文献】
【０００４】
【特許文献１】実用新案登録第３１４４６００号
【考案の概要】
【考案が解決しようとする課題】
【０００５】
本考案の目的は、前記従来のようなシート片からなる装飾用タグであってその装飾対象である物品への取り付けのために当該物品又はその一部を通すことを要しない装飾用タグを提供することにある。
【課題を解決するための手段】
【０００６】
本考案に係る装飾用タグは折り曲げ可能のシート片からなり、該シート片は、前記物品に対する装飾機能を担う装飾部と、前記物品に対する前記装飾用タグの取り付けの機能を担う取り付け部とを含む。本考案にあっては、前記取り付け部が全体に帯状を呈し、また、その一端部分及び他端部分を相互に連結するための連結構造を有する。
【０００７】
本考案によれば、折り曲げ可能のシート片からなる装飾用タグの装飾部の取り付け部が帯状を呈することから、前記取り付け部を環状に湾曲させ、これを装飾対象である物品又はその一部にその周囲から巻き付けることができる。また、前記取り付け部の連結構造を介して、前記取り付け部の両端部分（一端部分及び他端部分）同士を相互連結することにより、前記取り付け部の前記物品に対する巻き付け状態を維持することができ、これにより前記装飾用タグを前記物品に取り付けることができる。前記装飾用タグの前記物品への取り付けに当たっての前記取り付け部による前記物品又はその一部へのその周囲からの巻き付け及びその維持は、前記物品の他の部分に無用な変形を生じさせない。
【０００８】
前記帯状の取り付け部は、好ましくは前記装飾部の周囲をこれに近接してかつ湾曲して伸びる。これによれば、前記取り付け部を例えば直線状に伸びるものとした場合と比べて、前記装飾部と前記取り付け部とが比較的小さくまとまり、その取り扱いや保管が容易である。また、前記装飾用タグを構成する前記シート片は、これと同一の材質からなる１枚のシートから該シートにレーザ切断加工、抜き加工等を施して得ることができるところ、前記取り付け部が前記装飾部の周囲をこれに近接してかつ湾曲して伸びるものであるときは、前記したように前記装飾部と前記取り付け部とがまとまっているため、前記一枚のシートからより多くの装飾用タグを得ることが可能である。
【０００９】
前記取り付け部の一端部分と他端部分とを相互に連結するための連結構造は、前記帯状の取り付け部の一端部分に設けられ前記取り付け部の両側縁の少なくとも一方から突出する少なくとも１つの突起と、その他端部分に設けられた孔とからなる。ここにおいて、前記突起はこれが折り曲げられた形態で前記孔を通過可能であり、また、前記孔を通過した後における前記突起の折り曲げられた形態からその一部又は全部の元の形態への復帰により、前記孔の周縁に係止可能である。
【００１０】
前記連結構造は、好ましくは、前記帯状の取り付け部の一端部分に設けられその両側縁から突出する一対又は複数の突起と、その他端部分に設けられた孔とからなる。ここにおいて、前記対の突起はこれらの一方又は双方が折り曲げられた形態で前記孔を通過可能であり、また、通過後における前記折り曲げられた形態の一部又は全部が元の形態への復帰により前記孔の周縁に係止可能である。前記突起及び前記孔は、前記シート片の形成時に前記シートに対するレーザ切断加工、抜き加工等により形成することできる。
【００１１】
前記連結構造が複数又は複数対の突起を有する場合にあっては、これらの突起を前記孔に順次に通すことにより、環状に湾曲された前記取り付け部の内径を漸減することができ、これにより、前記物品又はその一部を締め付けた状態で、前記装飾用タグを前記物品に取り付けることができる。
【００１２】
また、前記連結構造が１つ又は一対の突起を有する場合にあっては、前記取り付け部が環状に湾曲され、また、前記突起が前記孔に通され該孔の周縁に係止したときの前記取り付け部の内径よりわずかに大きい直径を有する前記物品又はその一部にその周りからこれを締め付けた状態で前記装飾用タグを取り付けることができる。前記突起は、例えば山形又は半円形の輪郭を有するものとすることができる。
【００１３】
前記シート片は、互いに重ね合わされかつ接着された２枚の合成繊維製の織物、好ましくはポリエステル繊維製の織物からなるものとすることができ、また、前記シート片の表裏面を異なる色彩を有するものとすることができる。異なる色彩とすることにより、異なる装飾効果を得ることができる。
【図面の簡単な説明】
【００１４】
【図１】本考案の一例に係る装飾用タグの平面図である。
【図２】本考案の他の一例に係る装飾用タグの平面図である。
【図３】取り付け部が環状に湾曲され、かつ、その一端部分及び他端部分が連結構造により互いに連結された状態にある、図２に示す装飾用タグの斜視図である。
【図４】図１に示す装飾用タグを瓶（ボトル）に適用した例の斜視図である。
【図５】図２に示す装飾用タグを包装袋に適用した例の斜視図である。
【考案を実施するための形態】
【００１５】
図１及び図２を参照すると、本考案の例に係る２つの異なる装飾用タグがそれぞれ全体に符号１０で示されている。これらの２つの装飾用タグ１０の相違は、主として、後記装飾部１２の形態（平面形状、図柄、色彩、大きさ等）と、後記取り付け部１４の伸長形態（湾曲形状）とにある
装飾用タグ１０は折り曲げ可能のシート片からなる。前記シート片は、プラスチック製、紙製等のもの、好ましくは互いに重ね合わされかつ接着された２枚の合成繊維製の織物、さらに好ましくはポリエステル繊維製の織物からなる。折り曲げられた前記シート片は、該シート片自体が有する自己復元性により、あるいはこれに外力を加えることにより、元の非折り曲げの状態に戻る。前記シート片は、例えば、１枚のシート（図示せず）にレーザ切断加工、抜き加工等を施すことにより得ることができる。
【００１６】
前記シート片は、装飾タグ１０の装飾対象である物品１８（図４及び図５参照）を装飾するための機能を担う装飾部１２と、物品１８に装飾用タグ１０を取り付けるための機能を担う、帯状の取り付け部１４とからなる。装飾部１２と帯状を呈する取り付け部１４とは、装飾部１２の一部分１６を介して、相互に連なっている。図２に示す例においては、装飾部１２と取り付け部１４とは、装飾部１２の一部分１６に加えてさらに他の一部分１７においても連なっている。
【００１７】
装飾部１２は、これが所望の装飾効果を発揮するように、その平面形状、その両面の一方又は双方に描かれる図柄、付される色彩等が適当に選択される。また、図１に示すように、装飾部１２が複数の刳り抜き部分１９を有するものとすることができる。図２に示す装飾部１２は全体にバラの花を模してなり、前記したような刳り抜き部分を有しない。また、図１及び図２に示された装飾用タグ１０を構成する前記シート片は、これを構成する２枚の織物が互いに異なる色彩を有する。
【００１８】
装飾用タグ１０の装飾対象である物品１８の一例として、図４及び図５に、それぞれ瓶及び包装袋が示されている。装飾用タグ１０の前記装飾対象には、図４及び図５に示すもののほか、例えば携行品である携帯電話、USBメモリ、鞄等がある。
【００１９】
帯状の取り付け部１４はその伸長方向に関して互いに相対する一端部分２０及び他端部分２２と、両端部分２０，２２間を伸びる、互いに相対する一対の側縁２４，２６とを有する。取り付け部１４は直線状あるいは湾曲状に伸びるものとすることができる。前記直線状及び湾曲状のいずれにおいても、取り付け部１４は、その一端部分２０及びその他端部分２２が互いに重なり合った状態で、環状に湾曲するように折り曲げることができる。
【００２０】
図１及び図２に示すそれぞれの例では、取り付け部１４は装飾部１２の周囲（より正確には周囲の一部）をこれに近接して湾曲状（円弧状及び楕円弧状）に伸びている。これらの各例にあっては、装飾部１２と取り付け部１４とが比較的コンパクトにまとまった形態を呈する。このため、装飾用タグ１０の保存や運搬等に便宜であり、また、前記一枚のシートからより多くの、したがってより高い歩留まりを以て前記シート片を得ることができる。
【００２１】
取り付け部１４は、また、その一端部分２０とその他端部分２２とを相互に連結するための連結構造３２（図３参照）を有する。
【００２２】
連結構造３２は、取り付け部の１４の一端部分２０に設けられその両側縁２４，２６の少なくとも一方から突出する少なくとも１つの突起２８と、他端部分２２に設けられた孔３０とからなる。突起２８はこれが折り曲げられた形態で孔３０を通過可能であり、また、通過後の突起２８はその折り曲げられた形態の一部又は全部が元の形態へと復元することにより、孔３０の周縁に係止可能である。
【００２３】
好ましくは、図１及び図２に示すように、互いに相対する複数対の突起２８が取り付け部１４の両側縁２４，２６から突出している。各側縁２４，２６から突出する複数の突起２８は鋸歯状を呈する。これらの複数の突起２８は、取り付け部１４の一端部分２０の自由端と装飾部１２の一部分１６が位置する箇所との間にありかつ取り付け部１４の各側縁２４，２６に沿って連続して伸びている。各突起２８は、前記鋸歯状を規定する山形の輪郭又は外形を有するものとすることに代えて、例えば半円形、放物円形等の輪郭を有するものとすることができる。
【００２４】
互いに相対する前記複数対の突起２８は、これらが相互に間隔をおいて、すなわち両側縁２４，２６に沿って断続的に伸びるものとしてもよい。この例において、各突起は前記した輪郭又は外形を有するものの他、例えばコの字形等の輪郭又は外形を有するものすることができる。
【００２５】
図示の連結構造３２を構成する各対の突起２８はこれらの一方又は双方が折り曲げられた形態で孔３０を通過可能である。また、通過後の前記対の突起２８は、該突起の前記折り曲げられた形態の一部又は全部の復元により、すなわち前記折り曲げられた形態から折り曲げ前の元の形態へとその一部又はその全部が戻ることにより、孔３０の周縁に係止可能である。前記対の突起２８は指で折り曲げることができ、また、前記突起が有する自己復元性によりあるいは指による反対側への折り曲げ操作により元の非折り曲げ形態に戻る。
【００２６】
取り付け部１４は、連結構造３２により、その一端部分２０とその他端部分２２とが相互結合され、前記環状の形態を維持される（図３参照）。複数対の突起２８を孔３０に次々に通すことにより、環状にされた取り付け部１４の内径を漸減することができる。したがって、帯状の取り付け部１４を物品１８又はその一部にその周囲から巻き付け、さらにこれを締め付けることにより、装飾用タグ１０を前記物品に取り付けることができる。
【００２７】
このようにして装飾用タグ１０が瓶（１８）の首に取り付けられ（図４）、また、包装袋（１８）の窄められた部分に取り付けられている（図５）。
【００２８】
連結構造３２の一部をなす前記突起の対の数（数量）は、複数とする図示の例に代えて、単数（一対）とすることができる（図示せず）。一対の突起を有する連結構造にあっては、一対の突起が孔３０の周縁に係止したときの前記環状の取り付け部の内径の大きさにほぼ合致する直径以下の大きさを有する部分を持つ物品に取り付けることができる。また、前記直径よりわずかに大きい部分を有する物品にはこれを締め付けた状態で取り付けることができる。
【００２９】
連結構造３２を構成する突起２８の配置態様は、前記した態様である、取り付け部１４の両側縁２４，２６に互いに相対する複数対又は一対の突起２８を配置する態様のほか、いずれか一方の側縁２４，２６にのみ複数又は単一の突起２８を配置する態様、両側縁２４，２６のそれぞれに複数又は単一の突起２８を配置する態様等（図示せず）とすることができる。
【００３０】
なお、前記突起の対の数が複数であるか単数であるか、また、前記突起の数が単数であるか複数であるかを問わず、さらに、前記突起が両側縁のいずれに存在するかを問わず、環状を呈するように湾曲されかつ両端部分２０，２２が相互に連結された前記取り付け部を、例えば物品１８の一例である前記瓶の首に掛けることによっても、装飾用タグ１０を物品１８に取り付けることが可能である。
【００３１】
連結構造３２の孔３０は、その平面形状を矩形とする図示の例に代えて、他の多角形、円形等の他の平面形状を有するものとすることができる。また、連結構造３２は、突起２８と孔３０とからなる図示の例に代えて、例えば両端部分２０，２２に取り付けられた、互いに他の一方に結合可能である一組の面ファスナー、一組のホック等（図示せず）からなるものとすることができる。
【符号の説明】
【００３２】
１０  装飾用タグ
１２  装飾部
１４  取り付け部
１８  物品
２０，２２  取り付け部の一端部分及び他端部分
２４，２６  取り付け部の両側縁
２８  突起
３０  孔
３２  連結構造
【図１】
0003185797.tif 000003
【図２】
0003185797.tif 000004
【図３】
0003185797.tif 000005
【図４】
0003185797.tif 000006
【図５】
0003185797.tif 000007